(57)【要約】【課題】放射線源および検出パネルが回転中心軸を間に挟んで対向配置された撮影部を回転させつつ、回転中心軸上に配された被写体の放射線像を撮影する放射線ＣＴ装置において、取得された画像信号が表す画像上の被写体形状の変形の補正を効率的に行なえるようにする。【解決手段】本撮影時と同一の被写体に対して一度のみ、撮影部２の回転速度を本撮影時における撮影部２の回転速度よりも低くして遠心力等の悪影響を抑えて撮影を行なうことにより高精度の基準画像信号を取得してこの基準画像信号をコンピューター３０内に記憶しておき、その後の撮影については、撮影部２の回転方向や回転角速度等の動作状態に関わらず、基準画像信号が表す画像上のマーカーの形状に対し、本撮影時に取得した画像信号が表す画像上のマーカーの形状を一致させるように、本撮影時に取得した画像信号が表す画像全領域における形状の変形を補正する。【選択図】図１
2010246667.tif 000002
【特許請求の範囲】
【請求項１】
円錐状に放射線を発する放射線源および前記放射線を検出する検出パネルが回転中心軸を間に挟んで対向配置された撮影部と、
該撮影部を前記回転中心軸を中心に回転させる駆動手段と、
前記検出パネルに記録された画像信号を読み出す読出手段とを備え、
前記撮影部を回転させつつ、前記回転中心軸上に配された被写体の放射線像を撮影する放射線ＣＴ装置であって、
前記撮影部の回転速度を本撮影時における前記撮影部の回転速度よりも低くして撮影を行なうことにより取得された基準画像信号を記憶する記憶手段と、
前記基準画像信号が表す画像上のマーカーの形状に対し、前記本撮影時に取得した画像信号が表す画像上の前記マーカーの形状を一致させるように、前記本撮影時に取得した画像信号が表す画像全領域における形状の変形を補正する補正手段とを備えたことを特徴とする放射線ＣＴ装置。
【請求項２】
前記マーカーが、体内の特徴的固形物であることを特徴とする請求項１記載の放射線ＣＴ装置。
【請求項３】
前記基準画像信号が、同一被写体において初回撮影時に取得されたものであることを特徴とする請求項１または２記載の放射線ＣＴ装置。
【請求項４】
円錐状に放射線を発する放射線源および前記放射線を検出する検出パネルが回転中心軸を間に挟んで対向配置された撮影部と、該撮影部を前記回転中心軸を中心に回転させる駆動手段と、前記検出パネルに記録された画像信号を読み出す読出手段とを備え、前記撮影部を回転させつつ、前記回転中心軸上に配された被写体の放射線像を撮影する放射線ＣＴ装置により取得された画像信号に対して画像処理を行う画像処理方法であって、
前記撮影部の回転速度を本撮影時における前記撮影部の回転速度よりも低くして撮影を行なうことにより取得された基準画像信号を用意し、
該基準画像信号が表す画像上のマーカーの形状に対し、前記本撮影時に取得した画像信号が表す画像上の前記マーカーの形状を一致させるように、前記本撮影時に取得した画像信号が表す画像全領域における形状の変形を補正することを特徴とする画像処理方法。
【請求項５】
前記マーカーが、体内の特徴的固形物であることを特徴とする請求項４記載の画像処理方法。
【請求項６】
前記基準画像信号が、同一被写体において初回撮影時に取得されたものであることを特徴とする請求項４または５記載の画像処理方法。
【発明の詳細な説明】
【技術分野】
【０００１】
本発明は、放射線源および検出パネルが回転中心軸を間に挟んで対向配置された撮影部を回転させつつ、回転中心軸上に配された被写体の放射線像を撮影する放射線ＣＴ装置により取得された画像信号に対して、この画像信号が表す画像上の被写体形状の変形の補正を行う放射線ＣＴ装置および画像処理方法に関するものである。
【背景技術】
【０００２】
従来より、放射線撮影を行うための放射線ＣＴ（Ｃｏｍｐｕｔｅｄ Ｔｏｍｏｇｒａｐｈｙ）装置が知られている。このような放射線ＣＴ装置としては、円錐状に放射線を発する放射線源および２次元検出パネルが回転中心軸を間に挟んで対向配置された撮影部を回転させつつ、回転中心軸上に被験者を配して放射線像を連続撮影し、さらに連続撮影により得られた画像信号を基に画像再構成演算を行うことによって、３次元的放射線ＣＴ像を得るものが知られている（例えば特許文献１等）。
【０００３】
このような放射線ＣＴ装置は、特許文献１に記載の装置のように、ベッドの上に被験者を寝かせ、撮影部を鉛直方向に回転させながら撮影を行なう装置の他にも、撮影部が可動式のアームで保持されており、撮影部の位置や角度を自由に調整可能で、被験者を寝かせた状態で撮影部を鉛直方向に回転させながら撮影を行なう態様のみならず、被験者を直立させた状態で撮影部を水平方向に回転させながら撮影を行なう態様等、種々の撮影を行なうことが可能な装置も提案されている。
【先行技術文献】
【特許文献】
【０００４】
【特許文献１】特開２００５−０５８３０９号公報
【発明の概要】
【発明が解決しようとする課題】
【０００５】
上記のような放射線ＣＴ装置の撮影部は、一般にＣアームの両端に各々放射線源および検出パネルが互いに対向するように取り付けられた構造であるが、このような撮影部を回転させると、遠心力により放射線源および検出パネルが外側に振られてしまい、静止時での位置関係と異なる位置関係となってしまう。このように放射線源および検出パネルの位置関係が変化してしまうと、同じ形状の被写体を撮影した場合でも画像上での被写体の形状が変形してしまうという問題がある。
【０００６】
このような問題を解消するためには、上記特許文献１で開示されている通り、撮影部の静止時と回転時に予め既知の形状のファントムを撮影しておき、静止時での撮影により得られた画像上のファントムの形状と、回転時での撮影により得られた画像上のファントムの形状とを比較して両者の誤差を検出することにより被写体形状の補正情報を取得し、実際の撮影により得られた画像について補正情報に基づいて形状を補正することが考えられる。
【０００７】
また、Ｃアームの両端の重量に偏りがあると、特に撮影部を鉛直方向に近い角度で回転させた場合には、重量の重い方を一番低い位置からＣアームを回転させることにより持ち上げて真上に来るまでと、真上に来てから反対側に降ろすまで、すなわち３６０度回転させる中での回転角度位置毎にＣアームのたわみ方の違いにより放射線源および検出パネルの位置関係が変化してしまうこともある。
【０００８】
上記特許文献１では、このような点も踏まえ、上記の補正情報を回転角度位置毎に取得してより正確に形状を補正することが提案されている。
【０００９】
ところで、上記のような放射線ＣＴ装置では、撮影時における撮影部の回転角速度は必ずしも一定であるとは限らず、撮影メニューに応じて撮影部の回転角速度が変化する場合がある。撮影部の回転角速度が変化すると遠心力の大きさが変わってくるため、回転角速度の違いにより放射線源および検出パネルの位置関係が変化してしまうこともある。
【００１０】
すなわち、上記のように予め補正情報を取得したとしても、補正情報取得時の撮影部の回転角速度と、実際の撮影時の撮影部の回転角速度とが異なると、画像上での被写体の形状を正確に補正することができないという問題がある。
【００１１】
そのため、予めファントムを撮影することにより取得した補正情報に基づいて補正を行う場合、画像上での被写体の形状を正確に補正するためには、本撮影時における撮影部の回転方向や回転角速度等の動作状態に対応した補正情報を取得する必要があり、この場合、放射線ＣＴ装置で行なわれる可能性がある全ての動作状態について予めファントムを撮影して補正情報を取得するか、各撮影毎にこの撮影時と同じ動作状態でファントムを撮影して補正情報を取得しなければならないが、いずれにしても補正情報の取得に多大な時間を要してしまい効率的ではない。
【００１２】
本発明は、上記事情に鑑みてなされたものであり、放射線源および検出パネルが回転中心軸を間に挟んで対向配置された撮影部を回転させつつ、回転中心軸上に配された被写体の放射線像を撮影する放射線ＣＴ装置により取得された画像信号に対し、この画像信号が表す画像上の被写体形状の変形の補正を効率的に行うことが可能な放射線ＣＴ装置および画像処理方法を提供することを目的とするものである。
【課題を解決するための手段】
【００１３】
本発明の放射線ＣＴ装置は、円錐状に放射線を発する放射線源および放射線を検出する検出パネルが回転中心軸を間に挟んで対向配置された撮影部と、撮影部を回転中心軸を中心に回転させる駆動手段と、検出パネルに記録された画像信号を読み出す読出手段とを備え、撮影部を回転させつつ、回転中心軸上に配された被写体の放射線像を撮影する放射線ＣＴ装置であって、撮影部の回転速度を本撮影時における撮影部の回転速度よりも低くして撮影を行なうことにより取得された基準画像信号を記憶する記憶手段と、基準画像信号が表す画像上のマーカーの形状に対し、本撮影時に取得した画像信号が表す画像上のマーカーの形状を一致させるように、本撮影時に取得した画像信号が表す画像全領域における形状の変形を補正する補正手段とを備えたことを特徴とするものである。
【００１４】
また、本発明の画像処理方法は、円錐状に放射線を発する放射線源および放射線を検出する検出パネルが回転中心軸を間に挟んで対向配置された撮影部と、撮影部を回転中心軸を中心に回転させる駆動手段と、検出パネルに記録された画像信号を読み出す読出手段とを備え、撮影部を回転させつつ、回転中心軸上に配された被写体の放射線像を撮影する放射線ＣＴ装置により取得された画像信号に対して画像処理を行う画像処理方法であって、撮影部の回転速度を本撮影時における前記撮影部の回転速度よりも低くして撮影を行なうことにより取得された基準画像信号を用意し、基準画像信号が表す画像上のマーカーの形状に対し、本撮影時に取得した画像信号が表す画像上のマーカーの形状を一致させるように、本撮影時に取得した画像信号が表す画像全領域における形状の変形を補正することを特徴とする方法である。
【００１５】
本発明の放射線ＣＴ装置および画像処理方法において、「画像全領域における形状の変形を補正する」とは、画像上の各被写体の形状の歪を補正する処理に限らず、画像上の各被写体を拡大・縮小する処理や、画像上の各被写体の位置を移動させる処理等も含むものである。
【００１６】
また、マーカーは、体内の特徴的固形物とすることが好ましい。この「体内の特徴的固形物」としては、血管の分岐点や、解剖学的に特徴的な部位等、体内における特徴的固形物であればどのようなものでもよいが、その中でも特に、骨、骨を固定するインプラント、人工臓器等、経時的に変化を生じにくいものが好ましい。
【００１７】
また、基準画像信号は、同一被写体において初回撮影時に取得されたものとすることが好ましい。
【発明の効果】
【００１８】
本発明の放射線ＣＴ装置および画像処理方法によれば、撮影部を回転させつつ回転中心軸上に配された被写体の放射線像を撮影する放射線ＣＴ装置において、本撮影時と同一の被写体に対して一度のみ、撮影部の回転速度を本撮影時における撮影部の回転速度よりも低くして遠心力等の悪影響を抑えて撮影を行なうことにより高精度の基準画像信号を取得してこの基準画像信号を記憶しておき、その後の撮影については、撮影部の回転方向や回転角速度等の動作状態に関わらず、基準画像信号が表す画像上のマーカーの形状に対し、本撮影時に取得した画像信号が表す画像上のマーカーの形状を一致させるように、本撮影時に取得した画像信号が表す画像全領域における形状の変形を補正するようにしたので、放射線ＣＴ装置で行なわれる可能性がある全ての動作状態について予めファントムを撮影して補正情報を取得したり、各撮影毎にこの撮影時と同じ動作状態でファントムを撮影して補正情報を取得したりする必要がなく、本撮影時に取得された画像信号が表す画像上の被写体形状の変形の補正を効率的に行うことが可能となる。
【００１９】
このとき、マーカーを体外に別途設置すると、撮影部を回転させながら撮影を行なった場合に、人体とマーカーが重なって人体中の情報を取得できない領域が発生するため、マーカーを体内の骨や人工臓器等の特徴的固形物とすれば、別途マーカーを設置する手間を省けるとともに、上記のように人体中の情報を取得できない領域を発生させないようにすることができる。
【００２０】
また、同一被写体において初回撮影時に高精度の基準画像信号を取得するようにすれば、この被写体に関する検査を効率よく行なうことができる。
【図面の簡単な説明】
【００２１】
【図１】本発明の一実施の形態による放射線ＣＴ装置の概略構成図
【図２】上記放射線ＣＴ装置に用いている固体検出器の概略構成図
【図３】上記放射線ＣＴ装置で取得された基準画像の一例を示す図
【図４】上記放射線ＣＴ装置で取得された画像の一例を示す図
【図５】撮影部が静止時における撮影の状態を示す図
【図６】撮影部が回転時における撮影の状態を示す図（１）
【図７】撮影部が回転時における撮影の状態を示す図（２）
【図８】撮影部が回転時における撮影の状態を示す図（３）
【発明を実施するための形態】
【００２２】
以下、本発明の実施の形態について、図面を用いて説明する。図１は本発明の一実施の形態による放射線ＣＴ装置の概略構成図、図２は上記放射線ＣＴ装置に用いている固体検出器の概略構成図である。
【００２３】
図１に示すように、放射線ＣＴ装置１は、放射線画像の撮影を行なう撮影装置と、被験者Ｐを支持するための支持台であるベッド２２と、撮影装置に接続され、撮影装置の制御や撮影により得られた画像の処理を行うコンピューター３０と、このコンピューター３０に接続されたモニター３１とから構成される。
【００２４】
撮影装置は、円錐状の放射線（以後、コーンビームともいう）を発する放射線源１０、放射線源１０から発せられた放射線を検出する検出パネル１１、放射線源１０および検出パネル１１を保持するＣアーム１２からなる撮影部２と、この撮影部２を回転させる駆動部１５と、駆動部１５を保持するアーム２０とを有するものである。
【００２５】
撮影部２は回転中心軸Ｃの周りに３６０°回転可能である。また、可動部２０ａを備えたアーム２０は、天井に対し移動可能に取り付けられた基部２１に保持されており、撮影室内において、広範の位置に移動可能であるとともに、撮影部２の回転方向（回転軸角度）も変更可能に構成されている。
【００２６】
放射線源１０と検出パネル１１とは回転中心軸Ｃを間に挟んで対向配置されており、放射線ＣＴ装置１により放射線ＣＴ撮影を行うときには、回転中心軸Ｃ、放射線源１０、検出パネル１１の互いの位置関係は固定される。
【００２７】
図２に示すように、検出パネル１１は、ガラス基板４５上に、ａ−Ｓｉ  ＴＦＴからなる第１の導電層４４、放射線の照射を受けることにより電荷を発生して導電性を呈する光導電層４３、第２の導電層４２、絶縁層４１がこの順に積層されてなる固体検出器により構成されている。第１の導電層４４には各画素毎に対応してＴＦＴが形成されており、各ＴＦＴの出力はＩＣチップ４６に接続され、ＩＣチップ４６はプリント基板４７上の不図示の画像信号処理部に接続されている。
【００２８】
検出パネル１１（固体検出器）は、第１の導電層４４と第２の導電層４２との間に電界を形成している際に、光導電層４３に放射線が照射されると、光導電層４３内に電荷対が発生し、この電荷対の量に応じた潜像電荷が第１の導電層４４内に蓄積されるものである。蓄積された潜像電荷を読み取る際には、第１の導電層４４のＴＦＴを順次駆動して、各画素に対応した潜像電荷に対応するアナログ信号を出力させ、このアナログ信号を画像信号処理部において各画素毎に検出し、各画素毎に検出したアナログ信号を画素の配列順に複合する。そして、この複合したアナログ信号を不図示のＡＤ変換部によりＡＤ変換してデジタル画像信号を生成する。生成されたデジタル画像信号は画像信号処理部からコンピューター３０に送信される。
【００２９】
コンピューター３０は、制御手段としての不図示の中央処理装置（ＣＰＵ）、不図示のＨＤＤやＳＳＤ等のストレージデバイス、不図示のマウスやキーボード等の操作入力手段を備える。
【００３０】
ＣＰＵは、検出パネル１１から取得した画像信号に対して補正処理を行う補正手段としての機能や、放射線源１０の動作制御、検出パネル１１の検出動作および画像信号読出動作の制御、駆動部１５による撮影部２の回転制御、アーム２０および基部２１の駆動制御を行なう制御手段としての機能を備える。
【００３１】
また、ストレージデバイスは、基準画像信号を記憶する記憶手段としても用いられる。
【００３２】
ここで、本実施の形態において行う補正処理について詳細に説明する。図３は上記放射線ＣＴ装置で取得された基準画像の一例を示す図、図４は上記放射線ＣＴ装置で取得された画像の一例を示す図、図５は撮影部が静止時における撮影の状態を示す図、図６は撮影部が回転時における撮影の状態を示す図（１）、図７は撮影部が回転時における撮影の状態を示す図（２）、図８は撮影部が回転時における撮影の状態を示す図（３）である。
【００３３】
図５に示すように、例えば既知の形状のファントムＲを撮影した場合、撮影部が静止している場合には、画像上においてファントムＲに形状の歪みを生じさせることなく撮影できるが、撮影部が回転している場合には、遠心力等の影響によりファントムＲに形状の歪みを生じさせることなく撮影することが困難となる。
【００３４】
例えば、図６に示すように、重量の重い放射線源１０が遠心力により外側に振られた場合には、画像上においてファントムＲは本来撮影される大きさよりも小さくなってしまう。なお、本実施の形態の放射線ＣＴ装置１のように、放射線源１０がＣアームにより保持されている場合には、図７に示すように、放射線源１０は上方（Ｃアーム中心方向）に傾いて振られることになるため、画像上においてファントムＲは本来撮影される位置よりも下方に移動してしまう。
【００３５】
また、面状の検出パネル１１についても、保持部１１ａ以外の部分が遠心力により外側にたわんでしまうと、図８に示すように、画像上においてファントムＲは本来の形状とは異なる形状に歪んでしまう。
【００３６】
このように、撮影部２を回転させながら撮影を行なうと、上記で挙げたような種々の要因が複合的に重なって、画像上での被写体の形状が変形してしまうことになる。
【００３７】
本実施の形態においては、このような問題を解消するために、本撮影時と同一の被写体に対して一度のみ、撮影部２の回転速度を本撮影時における撮影部２の回転速度よりも低くして遠心力等の悪影響を極力抑えて撮影を行なうことにより高精度の基準画像信号を取得してこの基準画像信号をコンピューター３０内のストレージデバイスに記憶しておき、その後の撮影については、撮影部２の回転方向や回転角速度等の動作状態に関わらず、基準画像信号が表す画像上のマーカーの形状に対し、本撮影時に取得した画像信号が表す画像上のマーカーの形状を一致させるように、本撮影時に取得した画像信号が表す画像全領域における形状の変形を補正するようにしている。なお、この基準画像信号は、撮影部２の回転時における各角度位置毎に取得する必要がある。
【００３８】
すなわち、本発明は例えば被験者Ｐの骨折の治癒状態を経時観察する場合等、同一の被写体を複数回撮影する場合に特に有効であり、この場合は初回のみ撮影部２の回転速度を低くして遠心力等の悪影響を極力抑えて撮影を行なうことにより高精度の基準画像信号を取得すればよく、その後の撮影は撮影部２を通常の速度にして撮影を行なっても、基準画像信号に基づいて補正を行うことにより正確な画像信号を取得することができるようになる。なお、基準画像信号の取得は、必ずしも初回の撮影時である必要はなく、補正が必要な段階で基準画像信号が用意できていればいつ行なってもよい。
【００３９】
ここで、基準画像信号を取得する際の撮影部２の回転速度について説明する。コーンビーム型の放射線ＣＴ装置では、一般的に５〜１０秒／回転の速度で撮影部を回転させながら撮影が行なわれる。基準画像信号を取得する際の撮影部の回転速度を低くするほど基準画像信号の精度を高くすることができるが、通常撮影時の撮影部の回転速度の６７〜５０％程度とすれば十分高精度な基準画像信号を取得することが可能であり、具体的には通常撮影時に５秒／回転の速度であった場合には７．５〜１０秒／回転、通常撮影時に１０秒／回転の速度であった場合には１５〜２０秒／回転に落とせばよい。
【００４０】
また、基準画像信号取得のための撮影時や本撮影時において撮影するマーカーについては、図３、４に示すような頭蓋骨等の体内の特徴的固形物とすれば、別途マーカーを設置する手間を省けるとともに、別途設けたマーカーによって人体中の情報を取得できない領域が発生することもなくなる。
【００４１】
本撮影時に取得した画像信号が表す画像全領域における形状の変形を補正する方法は、図４に示す本撮影時に取得した画像信号が表す画像ＥＩ上の画像上のマーカー（頭蓋骨）の特徴点Ａ´〜Ｋ´の各々の位置（画像上の座標）を、図３に示す基準画像信号が表す画像ＲＩ上の同一のマーカー（頭蓋骨）の特徴点Ａ〜Ｋの各々の位置（画像上の座標）と一致させるとともに、特徴点Ａ´〜Ｋ´の移動により周囲の幾何形状もなめらかに移動させるように変形させる処理を行えばよい。このような特徴点に基づく画像の変形処理方法については、既存の種々の方法を適用することができる。
【００４２】
以下、放射線ＣＴ装置１の作用について説明する。
【００４３】
まず、被験者Ｐをベッド２２上に横たわらせ、被験者Ｐの体の略中心を回転中心軸Ｃとして、この回転中心軸Ｃを挟んで放射線源１０と検出パネル１１とが対称位置に配されるように撮影部２の位置決めを行なう。撮影部２の移動は、撮影者によるコンピューター３０の操作に基づいて行なわれる。
【００４４】
このようにして撮影部２を位置決めした後、撮影者がコンピューター３０を操作することにより撮影部２の撮影時の角速度および撮影開始指示が入力されると、ＣＰＵは撮影部２を回転させて被験者Ｐを通る回転中心軸Ｃの回りに放射線源１０と検出パネル１１とを一体的に回転させつつ撮影を行なわせる。
【００４５】
撮影部２を回転させつつ所定角度毎に、放射線源１０から発せられ被験者Ｐを通ったコーンビームの検出パネル１１への曝射および検出パネル１１に記録された画像信号の読出しを複数回繰り返して被験者Ｐを表す放射線画像を連続的に取得する。すなわち、連続撮影における各撮影毎に、検出パネル１１に記録された画像信号が読み出されてコンピューター３０に入力される。このとき、ＣＰＵには、各撮影毎にこの撮影時における撮影部２の角度位置についての情報が入力される。
【００４６】
ＣＰＵでは、角度位置に対応した基準画像信号をストレージデバイス（記憶手段）から取得し、この基準画像信号に基づいて、上述の通り本撮影時に取得した画像信号が表す画像全領域における形状の変形について補正を行い、補正後の画像信号をストレージデバイスに蓄積させる。
【００４７】
上記の処理が繰り返し実行されて、被験者Ｐを被写体とする連続撮影が終了する。
【００４８】
連続撮影の終了後、ＣＰＵはストレージデバイスに蓄積されている複数の画像信号を再構成して３次元状の放射線ＣＴ画像を生成し、モニター３１上に表示させる。
【００４９】
以上、本発明の放射線ＣＴ装置について詳細に説明したが、本発明は上記実施の形態に限定されるものではない。
【００５０】
例えば、上記実施の形態の装置構成は、被験者の胸部や四肢を撮影可能な比較的大型な装置であったが、このような態様に限らず、例えば乳房の周りを撮影部が回転しながら撮影を行なう比較的小型な装置とする等、どのような装置構成としてもよい。
【００５１】
また、撮影部を回転させながら撮影を行なう放射線ＣＴ装置では、基準画像信号取得の際に撮影部の回転速度を低くして遠心力等の悪影響を極力抑えて撮影を行なったとしても、遠心力等の悪影響を完全に無くすことは難しい。そのため、このような悪影響がほとんど発生しないＭＲＩ等の他の撮影装置において、放射線ＣＴ装置で撮影を行なう被写体の撮影を行ない、他の撮影装置により取得された画像信号に基づいて放射線ＣＴ装置における基準画像信号が表す画像全領域における形状の変形を補正しておけば、放射線ＣＴ装置における本撮影時に行う補正をさらに高精度に行うことが可能となる。
【００５２】
また、補正手段による補正については、画像信号が表す画像上の被写体形状の変形の補正、すなわち座標変換処理のみを行うものに限らず、座標変換処理とともに画素値補正処理を行うようにしてもよい。
【００５３】
この画素値補正処理は、例えば、基準画像信号取得時と本撮影時とで、検出パネルの各画素毎に放射線源からの距離の変動分を求め、本撮影時において各画素毎に距離変動分に起因する放射線エネルギーの変動分を補うように逆二乗の法則に従って画素値を補正する等、どのような処理を行ってもよい。
【００５４】
また、検出パネルについては、上記のようなＴＦＴ読出方式の固体検出器に限らず、光読出方式等他の方式の固体検出器としてもよい。また、上記のような入射した放射線を光導電層によって直接電気信号に変換する方式（直接変換方式）に限らず、入射した放射線をシンチレータによって一旦可視光に変換した後、この可視光を固体検出器を用いて電気信号に変換する方式（間接変換方式）としてもよい。
【００５５】
また、検出パネルは、固体検出器に限らず、イメージングプレート等どのようなデバイスを用いてもよい。
【００５６】
また、検出パネルの検出面は、平面であってもよいし湾曲をなすものであってもよい。
【００５７】
また、上記以外にも、本発明の要旨を逸脱しない範囲において、各種の改良や変形を行なってもよいのは勿論である。
【符号の説明】
【００５８】
１    放射線ＣＴ装置
２    撮影部
１０    放射線源
１１    検出パネル
１２    Ｃアーム
１５    駆動部
２０    アーム
２１    基部
２２    ベッド
３０    コンピューター
３１    モニター
Ｃ    回転中心軸
Ｐ    被験者
【図１】
2010246667.tif 000003
【図２】
2010246667.tif 000004
【図３】
2010246667.tif 000005
【図４】
2010246667.tif 000006
【図５】
2010246667.tif 000007
【図６】
2010246667.tif 000008
【図７】
2010246667.tif 000009
【図８】
2010246667.tif 000010